(57)【要約】【課題】例えば厚みの異なる栓刃が差し込まれたり、栓刃が傾きをもって差し込まれたとしても、常に十分な接触面積を確保できるようにする。【解決手段】プラグ５０の栓刃５１が差し込まれる少なくとも一対の栓刃挿入口１０Ａ，１０Ｂを有する電気絶縁性材料からなる接続器筐体１１を備え、接続器筐体１１内に各栓刃挿入口１０Ａ，１０Ｂごとに栓刃５１に対する刃受け端子２０，２０が設けられている差込接続器１０において、各刃受け端子２０として、それぞれ独立して平板状に形成され、接続器筐体１１内で互いに平行として接離可能に配置される一対の刃受け板２１，２２を用いるとともに、接続器筐体１１内に好ましくは各刃受け端子２１，２２の背面側に、それら各刃受け端子２１，２２が接近するように付勢するバネ手段３１，３２を設ける。【選択図】図２
2008166015.tif 000002
【特許請求の範囲】
【請求項１】
プラグの栓刃が差し込まれる少なくとも一対の栓刃挿入口を有する電気絶縁性材料からなる接続器筐体を備え、上記接続器筐体内に上記各栓刃挿入口ごとに上記栓刃に対する刃受け端子が設けられている差込接続器において、
上記各刃受け端子には、それぞれ独立して平板状に形成され、上記接続器筐体内で互いに平行として接離可能に配置される一対の刃受け板が含まれており、上記接続器筐体内には、少なくともいずれか一方の上記刃受け端子に向けて、いずれか他方の上記刃受け端子を付勢するバネ手段が設けられていることを特徴とする差込接続器。
【請求項２】
上記刃受け板がともに移動可能であり、上記刃受け板ごとに上記バネ手段が設けられている請求項１に記載の差込接続器。
【請求項３】
上記一方の刃受け端子が上記接続器筐体内で１点支持型軸受により傾動可能に支持され、上記他方の刃受け端子が上記バネ手段にて上記一方の刃受け端子に向けて付勢されている請求項１に記載の差込接続器。
【請求項４】
上記バネ手段が圧縮コイルバネもしくは板バネからなる請求項１ないし３のいずれか１項に記載の差込接続器。
【請求項５】
上記接続器筐体内に配置される上記バネ手段のバネ定数がほぼ同一である請求項１ないし４のいずれか１項に記載の差込接続器。
【請求項６】
上記刃受け板が板バネ材以外の金属板からなる請求項１ないし５のいずれか１項に記載の差込接続器。
【請求項７】
上記刃受け板が銅板からなる請求項６に記載の差込接続器。
【請求項８】
上記各刃受け板は、それぞれ下端側に所定の配線材がはんだ付けされる配線材接続部を備え、少なくともいずれか一方の上記配線材接続部がいずれか他方の上記配線材接続部に対して離れる方向にほぼＬ字状に折り曲げられている請求項１ないし７のいずれか１項に記載の差込接続器。
【発明の詳細な説明】
【技術分野】
【０００１】
本発明は、差込接続器に関し、さらに詳しく言えば、プラグの栓刃と広い面で接触し得る刃受け端子を備えた特に音響機器の電源装置に好適な差込接続器に関するものである。
【背景技術】
【０００２】
差込接続器は、基本的な構成として、プラグの栓刃が差し込まれる栓刃挿入口（コンセント口）を有する電気絶縁性材料からなる接続器筐体を備え、接続器筐体内には、各栓刃挿入口ごとにプラグの栓刃に対する刃受け端子が設けられている。
【０００３】
図６に例示するように、刃受け端子４０は、通常、燐青銅などの１枚の板バネ材をほぼＵ字状に折り曲げることにより一対の挟持片４１，４１を有する形態に形成され、そのバネ弾性により差し込まれるプラグ５０の栓刃５１に対して接触する（例えば、特許文献１〜３参照）。
【０００４】
【特許文献１】特開２０００−１８８１５８号公報
【特許文献２】特開２００３−１８７８９７号公報
【特許文献３】特開２００６−６６２２８号公報
【発明の開示】
【発明が解決しようとする課題】
【０００５】
しかしながら、１枚の板バネ材を折り曲げた図６に示す構成の刃受け端子４０では、多くの場合、挟持片４１，４１の先端部側の間隔のみが先細状に狭くされ、しかもその間隔は折り曲げ具合で決められる。
【０００６】
したがって、栓刃５１との接触面積が小さいばかりでなく、栓刃５１の厚みが薄い場合や栓刃５１が傾いて差し込まれたりした場合、十分な密着性が得られないことから、接触抵抗の増大により十分な電流供給が阻害され、接点温度が上昇することもある。
【０００７】
また、栓刃５１の抜き差しが繰り返されることにより、板バネにへたりが生じ接触不良を起こすこともある。音響機器の分野では、その電源装置に用いられる差込接続器に上記のような問題が生ずると、音質の劣化や雑音の発生を招くことになる。
【０００８】
したがって、本発明の課題は、例えば厚みの異なる栓刃が差し込まれたり、栓刃が傾きをもって差し込まれたとしても、常に十分な接触面積を確保し得る刃受け端子を備えた差込接続器を提供することにある。
【課題を解決するための手段】
【０００９】
上記課題を解決するため、本発明は、請求項１に記載されているように、プラグの栓刃が差し込まれる少なくとも一対の栓刃挿入口を有する電気絶縁性材料からなる接続器筐体を備え、上記接続器筐体内に上記各栓刃挿入口ごとに上記栓刃に対する刃受け端子が設けられている差込接続器において、上記各刃受け端子には、それぞれ独立して平板状に形成され、上記接続器筐体内で互いに平行として接離可能に配置される一対の刃受け板が含まれており、上記接続器筐体内には、少なくともいずれか一方の上記刃受け端子に向けて、いずれか他方の上記刃受け端子を付勢するバネ手段が設けられていることを特徴としている。
【００１０】
本発明には、請求項２に記載されているように、上記刃受け板がともに移動可能であり、上記刃受け板ごとに上記バネ手段が設けられている態様が含まれる。
【００１１】
また、請求項３に記載されているように、上記一方の刃受け端子が上記接続器筐体内で１点支持型軸受により傾動可能に支持され、上記他方の刃受け端子が上記バネ手段にて上記一方の刃受け端子に向けて付勢されている態様も本発明に含まれる。
【００１２】
本発明において、請求項４に記載されているように、上記バネ手段は圧縮コイルバネもしくは板バネであってよい。また、請求項５に記載されているように、上記接続器筐体内に配置される上記バネ手段のバネ定数がほぼ同一であることが好ましい。
【００１３】
また、本発明においては、請求項６に記載されているように、上記刃受け板に板バネ材以外の金属板を用いることができ、好ましくは請求項７に記載されているように、上記刃受け板に導電性に優れた銅板を用いることができる。
【００１４】
また、請求項８に記載されているように、上記各刃受け板は、それぞれ下端側に所定の配線材がはんだ付けされる配線材接続部を備え、少なくともいずれか一方の上記配線材接続部がいずれか他方の上記配線材接続部に対して離れる方向にほぼＬ字状に折り曲げられていることが好ましい。
【発明の効果】
【００１５】
本発明によれば、 各栓刃挿入口ごとに設けられる刃受け端子として、それぞれ独立して平板状に形成され、接続器筐体内で互いに平行として接離可能に配置される一対の刃受け板を用い、この刃受け板をバネ手段にて互いに接触する方向に付勢するようにしたことにより、差し込まれるプラグの栓刃の厚みにかかわらず、また、栓刃が傾きをもって差し込まれたとしても、その傾きに応じて刃受け板も平行を保ちながら傾くため、常に栓刃との間で広い接触面積が得られ、接触抵抗の低減に伴って効率的な電流供給を行うことができる。
【００１６】
また、刃受け端子に必ずしも燐青銅などの板バネ材を用いる必要がないため、刃受け端子に銅などの導電性にすぐれた金属材を適用することができる。
【００１７】
また、各刃受け板のそれぞれ下端側に設けられている配線材接続部の少なくともいずれか一方の配線材接続部をいずれか他方の配線材接続部に対して離れる方向にほぼＬ字状に折り曲げることにより、各配線材接続部に対する所定の配線材（例えば電源ケーブルのホット側配線およびコールド側配線）のはんだ付け作業を容易に行うことができる。
【発明を実施するための最良の形態】
【００１８】
次に、図１ないし図５により、本発明の実施形態について説明する。図１は本発明による差込接続器を一部を透視して示す平面図、図２はプラグが差し込まれた状態での図１のＡ−Ａ線に沿った断面図、図３は本発明の作用説明図、図４（ａ）は刃受け端子を構成する一対刃受け板を示す斜視図，図４（ｂ）はその側面図，図５は本発明の別の実施形態を示す図２と同様の断面図である。
【００１９】
図１には、この実施形態に係る差込接続器１０が一対の栓刃挿入口（コンセント口）１０Ａ，１０Ｂを２対として備える２口コンセントとして示されており、この例では図示しない３ピンプラグに対応し得るように、各コンセントごとに接地用の栓刃挿入口１０Ｃが含まれているが、本発明の差込接続器１０は、一対の栓刃挿入口１０Ａ，１０Ｂのみを備える１口コンセントであってもよい。また、接地用の栓刃挿入口１０Ｃは任意的な構成要素であるため、その説明は省略する。
【００２０】
図２の断面図に示すように、この差込接続器１０の接続器筐体１１には、基台１２と基台１２の上面に被せられるカバー部材１３とが含まれている。基台１２とカバー部材１３は、ともに電気絶縁性の合成樹脂材もしくはセラミック材から構成されてよい。また、基台１２とカバー部材１３は、一体的に形成されてもよい。
【００２１】
カバー部材１３には、例えばホット側の栓刃挿入口１０Ａとコールド側の栓刃挿入口１０Ｂが穿設され、基台１２内には、これらの栓刃挿入口１０Ａ，１０Ｂに対応して刃受け端子２０，２０がそれぞれ配置されるが、刃受け端子２０，２０は同一の構成であるため、ここではその一方について説明する。
【００２２】
本発明において、刃受け端子２０はそれぞれ独立して平板状に形成された一対の刃受け板２１，２２を備える。この刃受け板２１，２２は、基台１２に形成されている凹部１２１内において、互いに平行として接離（接近・離反）可能に収納される。
【００２３】
図２に示すように、各凹部１２１，１２１は栓刃挿入口１０Ａ，１０Ｂを通してプラグ５０の栓刃５０，５０が差し込まれる位置に設けられている。また、刃受け板２１，２２の上端側は、それらの間に栓刃５０を容易に差し込み得るようにするため、所定の角度で開かれている。
【００２４】
また、凹部１２１内には、刃受け板２１，２２を接近する方向に付勢するバネ手段が設けられる。この例では、各刃受け板２１，２２ごとにバネ手段として圧縮コイルバネ３１，３２が設けられている。
【００２５】
すなわち、一方の刃受け板２１の背面側（栓刃５１と接触しない側の面）に圧縮コイルバネ３１が配置され、他方の刃受け板２２の背面側（同じく、栓刃５１と接触しない側の面）に圧縮コイルバネ３２が配置されている。なお、圧縮コイルバネ３２に代えて板バネが用いられてもよい。
【００２６】
各刃受け板２１，２２を栓刃挿入口１０Ａ，１０Ｂの真下に位置させるうえで、各圧縮コイルバネ３１，３２のバネ定数は同一であることが好ましい。また、各圧縮コイルバネ３１，３２は各刃受け板２１，２２の中央部分にバネ圧が作用するように配置されることが好ましい。
【００２７】
この構成によれば、圧縮コイルバネ３１，３２により接近するように付勢されている刃受け板２１，２２間にプラグ５０の栓刃５１が挟持されるため、栓刃５１の厚みにかかわらず、常に広い接触面積を確保することができる。
【００２８】
また、図３に例示するように、栓刃５１がある傾きをもって差し込まれたとしても、それに応じて刃受け板２１，２２が傾き広い面での接触が保たれるため、接触抵抗が低減し効率的な電流供給ができる。
【００２９】
さらには、刃受け板２１，２２を例えば燐青銅などの板バネ材で形成する必要がないため、刃受け板２１，２２に板バネ材よりも導電性に優れた金属（好ましくは銅）を用いることができる。
【００３０】
次に、図４（ａ）（ｂ）を参照して、各刃受け板２１，２２は、それぞれ下端側に所定の配線材（この例では電源ケーブルのホット側もしくはコールド側の配線材６０）がはんだ付けされる配線材接続部２１１，２２１を備えている。
【００３１】
この場合、図４（ａ）に示すように、配線材６０は芯線を２つに分けて、その各々が配線材接続部２１１，２２１に穿設されている孔２１２，２２２に挿通された状態ではんだ付けされるが、そのはんだ付け作業を容易とするため、この実施形態では、刃受け板２２側の配線材接続部２２１を刃受け板２１側の配線材接続部２１１に対して離れる方向にほぼＬ字状に折り曲げている。
【００３２】
上記実施形態では、刃受け板２１，２２の各々に圧縮コイルバネ３１，３２を設けているが、ひとつの刃受け端子２０につき圧縮コイルバネをひとつとしてもよい。この別の実施形態を図５に示す。
【００３３】
この場合には、例えば一方の刃受け板２１の背面側の圧縮バネ３１を省略し、それに代えて、刃受け板２１の背面側のほぼ中央部分に例えば円錐状もしくは半球状の軸受け溝２１３を形成するとともに、凹部１２１の刃受け板２１の背面と対向する壁面に上記軸受け溝２１３に向けて水平に延びる先端が錐状の支持軸１２２を突設して刃受け板２１を傾動可能に支持する。
【００３４】
すなわち、支持軸１２２と軸受け溝２１３とからなるピボット軸受（１点支持型軸受）にて刃受け板２１を傾動可能に支持し、他方の刃受け板２２の背面側にのみ圧縮コイルバネ３２を配置する。なお、刃受け板２１のほぼ中央部分とは、好ましくは栓刃５１と接触する部分のほぼ中央部分である。
【００３５】
これによれば、上記実施形態と同じく、栓刃５１の厚みにかかわらず、常に広い接触面積を確保することができる。また、図３に示すように、栓刃５１がある傾きをもって差し込まれたとしても、それに応じて刃受け板２１，２２が傾き広い面での接触が保たれるため、接触抵抗が低減し効率的な電流供給ができる。なお、ピボット軸受に代えてボールジョイントが用いられてもよい。
【図面の簡単な説明】
【００３６】
【図１】本発明による差込接続器を一部を透視して示す平面図。
【図２】プラグが差し込まれた状態での図１のＡ−Ａ線に沿った断面図。
【図３】本発明の作用説明図。
【図４】（ａ）刃受け端子を構成する一対刃受け板を示す斜視図，（ｂ）はその側面図。
【図５】本発明の別の実施形態を示す図２と同様の断面図。
【図６】従来の板バネ材よりなる刃受け端子をプラグの栓刃が差し込まれた状態で示す模式図。
【符号の説明】
【００３７】
１０  差込接続器
１０Ａ，１０Ｂ  栓刃挿入口
１１  接続器筐体
１２  基台
１２１  凹部
１３  カバー部材
２０  刃受け端子
２１，２２  刃受け板
２１１，２２１  配線材接続部
３１，３２  圧縮コイルバネ
５０  プラグ
５１  栓刃
６０  配線材
【図１】
2008166015.tif 000003
【図２】
2008166015.tif 000004
【図３】
2008166015.tif 000005
【図４】
2008166015.tif 000006
【図５】
2008166015.tif 000007
【図６】
2008166015.tif 000008